(57)【要約】【課題】熱分解で生じた分解ガスに含まれるテレフタール酸や塩化水素などの酸性分を簡単に中和できるとともに、分解ガスに含まれるタール分や触媒成分も同時に分離できるようにする。【解決手段】分解蒸発槽から蒸発して来た分解ガスにアルカリ液を噴霧するアルカリスプレー装置１４を備える。アルカリスプレー装置１４は、中和槽１５内を、分解ガスが下向きに流れる上流室２９ａと上向きに流れる下流室２９ｂとに分け、これら上流室と下流室との両方に噴霧ノズル３０ａ・３０ｂからアルカリ液を噴霧する構成とする。【選択図】図４
2020002333.tif 000002
【特許請求の範囲】
【請求項１】
原料の廃プラスチックを分解蒸発槽で熱分解し、蒸発した分解ガスを冷却して分解油を生成する廃プラスチック油化システムにおいて、前記分解蒸発槽から蒸発して来た分解ガスにアルカリ液を噴霧するアルカリスプレー装置を備えたことを特徴とする廃プラスチック油化システム。
【請求項２】
前記アルカリスプレー装置は、中和槽内を、前記分解ガスが下向きに流れる上流室と上向きに流れる下流室とに分け、これら上流室と下流室との両方に噴霧ノズルからアルカリ液を噴霧する構成である請求項１記載の廃プラスチック油化システム。
【請求項３】
前記中和槽は、前記分解ガスが流れる配管の途中に設置された仕切り板により上流室と下流室とが仕切り形成され、これら上流室と下流室とは仕切り板の下側で合流していることを特徴とする請求項２記載の廃プラスチック油化システム。
【請求項４】
前記中和槽からの噴霧回収液を沈殿分離槽経由で前記噴霧ノズルへ循環させるアルカリ液循環系統を備えたことを特徴とする請求項２または３記載の廃プラスチック油化システム。
【請求項５】
前記沈殿分離槽は、沈殿分離された分離液と補充されるアルカリ液とを撹拌する撹拌部を備えていることを特徴とする請求項４記載の廃プラスチック油化システム。
【発明の詳細な説明】
【技術分野】
【０００１】  本発明は、原料の廃プラスチックを分解蒸発槽で熱分解し、蒸発した分解ガスを冷却して分解油を生成する廃プラスチック油化システムに関する。
【背景技術】
【０００２】  本発明者は、この種の廃プラスチック油化システムとして特許文献１記載のものを提供している。
【先行技術文献】
【特許文献】
【０００３】
【特許文献１】特開２０１７−７５２９４号公報
【特許文献２】特許第３４３５３９９号公報
【発明の概要】
【発明が解決しようとする課題】
【０００４】  廃プラスチックには、ポリプロピレン（ＰＰ）、ポリエチレン（ＰＥ）、ポリスチロール（ＰＳ）、ポリエチレンテレフタラート（ＰＥＴ）、ポリ塩化ビニル（ＰＶＣ）などが混在している。そのうち、酸性分を含むもの、特に廃棄量の比率が増える傾向にあるＰＥＴはテレフタール酸を含み、ＰＶＣは塩素系プラスチックであるため、上記のような廃プラスチック油化システムにおける配管や機器などを腐食ないし閉塞させる問題がある。また、分解ガスに含まれるタール分や熱分解処理過程で混入する触媒成分も同じような問題がある。【０００５】  特許文献２に記載の技術では、廃プラスチックの熱分解で生じるガス中の酸性分（ＰＥＴの場合は安息香酸、ＰＶＣの場合は塩化水素）による腐食を防止するために、粉砕した廃プラスチックに対して熱分解処理以前に消石灰や生石灰などのアルカリ性物質を添加している。しかし、アルカリ性物質添加を事前に行うことから、加熱脱塩素装置内で脱塩素処理をしてから熱分解処理をする必要があり、また廃プラスチック中のＰＥＴおよびＰＶＣの含有量に応じてアルカリ性物質の添加量を調整する必要もある。
本発明の目的は、熱分解で生じた分解ガスに含まれるテレフタール酸や塩化水素などの酸性分を簡単に中和できるとともに、分解ガスに含まれるタール分や触媒成分も同時に分離できるようにすることにある。
【課題を解決するための手段】
【０００６】  そのため本発明の廃プラスチック油化システムでは、分解蒸発槽から蒸発して来た分解ガスにアルカリ液を噴霧するアルカリスプレー装置を備える。
これを本発明の第１の形態とすると、第２の形態は、アルカリスプレー装置の構成を特定し、中和槽内を、分解ガスが下向きに流れる上流室と上向きに流れる下流室とに分け、これら上流室と下流室との両方に噴霧ノズルからアルカリ液を噴霧する構成とする。
第３の形態はこれをさらに特定し、中和槽は、分解ガスが流れる配管の途中に設置された仕切り板により上流室と下流室とが仕切り形成され、これら上流室と下流室とは仕切り板の下側で合流している構成とする。
第４の形態は、中和槽からの噴霧回収液を沈殿分離槽経由で噴霧ノズルへ循環させるアルカリ液循環系統を追加する。
第５の形態は、沈殿分離槽に、沈殿分離された分離液と補充されるアルカリ液とを撹拌する撹拌部を備える。
【発明の効果】
【０００７】  本発明の第１の形態によると、分解蒸発槽から蒸発して来た分解ガスにアルカリ液を噴霧するので、分解ガス中の酸性分は均質に中和されるとともに、分解ガスに混入しているタール分や触媒成分も除去されるため、後段の配管や機器の腐食および閉塞を有効に防止できる。
第２の形態によると、アルカリスプレー装置の中和槽に入った分解ガスは、上流室を下向きに流れながら、その流速を増すようにアルカリ液を噴霧され、下流室では方向を変えて上向きに流れながら、その流れに逆らうようにアルカリ液を噴霧されるので、中和処理を満遍なく均等に行うことができる。
第３の形態によると、分解ガスは、配管の途中に設置された仕切り板のみによって、上記のような下向きの流れから上向きの流れへ反転するので、アルカリスプレー装置を単純な構造にできる。
第４の形態によると、中和槽で噴霧したアルカリ液を循環使用できるとともに、その際に、噴霧回収液からタール分や触媒成分などを分離することができる。
第５の形態によると、沈殿分離された分離液にアルカリ液を補充し撹拌して循環させるので、アルカリ液の補充量により分解ガスのｐＨを任意に調整することができる。
【図面の簡単な説明】
【０００８】
【図１】本発明を適用した廃プラスチック油化システムの一例の全体構成図である。
【図２】本発明の要部となるアルカリスプレー装置の一実施例の正面図である。
【図３】同じく側面図である。
【図４】アルカリスプレー装置の機能説明図である。
【発明を実施するための形態】
【０００９】  先ず、本発明による廃プラスチック油化システムの一例の全体構成について、図１を参照して説明する。
ポリプロピレン（ＰＰ）、ポリエチレン（ＰＥ）、ポリスチロール（ＰＳ）、ポリエチレンテレフタラート（ＰＥＴ）、ポリ塩化ビニル（ＰＶＣ）、発泡スチロールなどが混在した廃プラスチックは、破砕、減容、冷却などの前処理をされてから、本発明の廃プラスチック投入装置１へパイプ中をエアー輸送されて来るので、これを「粉砕原料」と称する。
【００１０】  粉砕原料はサイクロン２にて捕集され、廃プラスチック投入装置１の原料投入ホッパ３に一時貯溜されるとともに、パイプ中を別途輸送されて来た触媒も触媒投入ホッパ４に一時貯溜される。原料投入ホッパ３中の粉砕原料は、パドルスクリューコンベア５にて送り出され、その先端部から下側に配管接続した廃プラスチック投入装置１の電動式ロータリーバルブ６に入り、これにて定量ずつ投入管７を通じて廃プラスチック分解装置８のドラム形分解蒸発槽９へ投入される。
一方、エアー輸送されて来た触媒投入ホッパ４内の触媒も、触媒搬送スクリュー１０にて投入管７の途中からその中へ送り込まれ、粉砕原料と共に分解蒸発槽９へ投入される。
【００１１】  分解蒸発槽９内では、特許文献１に記載されているように、粉砕原料と触媒とが縦軸の投入用撹拌機１１により混合されながら、二重壁構造の分解蒸発槽９の周壁近くで底壁上へと送り込まれ、その底壁内部及び周壁内部を循環する熱媒体により間接的に加熱されながら、分解用撹拌機１２の第１の撹拌部により周壁に沿って撹拌されることにより熱分解される。さらに、分解用撹拌機１２の第２の撹拌部により分散されてから、底壁上をその中央の残渣排出口へ寄って行くように撹拌されることにより熱分解が進み、熱分解を終えた残渣として残渣排出装置１３により排出される。
【００１２】  分解蒸発槽９内での熱分解で蒸発した分解ガスは、この分解蒸発槽９の上方に設置して配管接続したアルカリスプレー装置１４の中和槽１５へ送られ、ここで分解ガス中のテレフタール酸などの酸性分がアルカリ液の噴霧によって中和される。中和槽１５での噴霧回収液は、沈殿分離槽１６に流れ落ちてタール分や触媒成分などを分離され、中和槽１５へと返戻されて循環利用される。従って、ここでのアルカリ液噴霧による中和処理によって、原料のＰＥＴに含まれていたテレフタール酸やタール分や触媒成分などによる配管の閉塞を防止できるとともに、油化処理製品のｐＨ調整を行うことができる。
【００１３】  アルカリ中和された分解ガスは、中和槽１５に配管接続した第１のコンデンサ１７で冷却される。このコンデンサ１７は一次分解油生成装置として機能し、ここでの冷却によって一次分解油が生成される。この一次分解油は、コンデンサ１７の下方に設置して配管接続した蒸留安定装置１８の蒸留槽１９内へ落入する。
【００１４】  蒸留安定装置１８は、分解蒸発槽９と同様に、二重壁構造の空洞に熱媒体を循環させて蒸留槽１９を間接加熱する。蒸留槽１９内で蒸発したガス分は、その上方に設置して配管接続した第２のコンデンサ２０にて冷却される。このコンデンサ２０は二次分解油生成装置として機能し、ここでの冷却によって二次分解油が生成される。
【００１５】  第２のコンデンサ２０にて生成された二次分解油は、その下方に設置して配管接続した分離タンク２１にいったん流入し、不純物などを沈殿分離してから、その下方に設置した引火点調整装置２２の定温加熱槽２３へ入り、ここで再び熱媒体にて間接加熱される。引火点調整装置２２では、定温加熱槽２３内の二次分解油を撹拌しながらほぼ一定温度で加熱することにより、引火点が低いものは蒸発させる。蒸発しなかった油分は目的とする生成油として製品貯溜タンク２４に貯溜される。
【実施例】
【００１６】  上述のようにアルカリスプレー装置１４は、分解蒸発槽９より蒸発して来る分解ガスの酸性分を中和槽１５内で中和するものであるが、その実施例を図２、図３及び図４を参照して説明する。【００１７】  中和槽１５は水平な支持管２５に垂設され、この支持管２５を、分解蒸発槽９の排出口に接続されてこれから垂直に立ち上がる接続管２６の先端にエルボ２７にて接続することにより、中和槽１５は垂直に架設された状態となっている。従って、分解蒸発槽９で蒸発した分解ガスは、接続管２６とエルボ２７と支持管２５とを通じて中和槽１５内に流れ込むことができる。【００１８】  中和槽１５は、その上端部１５ａが支持管２５に沿った長方形の角筒形、そこから次第に変形して下端部１５ｂが円筒形となるように曲げ加工され、上端部１５ａを支持管２５内に突入させてこれに支持されている。
中和槽１５内には、その中心線に沿って仕切り板２８が垂設されている。この仕切り板２８の上端は支持管２５の内周面まで達しているが、下端は中和槽１５内の途中までで、これにより中和槽１５内は、分解ガスの流れから見て上流室２９ａと下流室２９ｂとに仕切られてはいるが、これら両室２９ａ・２９ｂは仕切り板２８の下側空間２９ｃでは合流している。
これら上流室２９ａと下流室２９ｂとにアルカリ液を同時に下向きに噴霧するため、分岐配管した２つの噴霧ノズル３０ａ・３０ｂが支持管２５に取り付けられている。【００１９】  一方、中和槽１５の円筒形の下端には手動開閉弁３１が接続され、またこれより少し上の円筒形部分に噴霧回収液取り出し口部３２が突設されている。この噴霧回収液取り出し口部３２には、下方に設置した沈殿分離槽１６へ至る回収管３４が接続されている。【００２０】  沈殿分離槽１６内は、沈殿部と撹拌部とに二分、すなわち仕切り壁３５により沈殿室３６ａと撹拌室３６ｂとに仕切られている。沈殿室３６ａ内の液は、仕切り壁３５の途中に設けられた越流管３７から撹拌室３６ｂへ流れると、この撹拌室３６ｂ内で撹拌機３８により撹拌されるようになっている。撹拌室３６ｂには新たなアルカリ液が随時補充される。
撹拌室３６ｂ内の液は、循環経路となる配管３９に設けられたフィルタ４０による濾過を経てポンプ４１にて吸い上げられ、それから２つの分岐配管３３に分かれて２つの噴霧ノズル３０ａ・３０ｂへ同時に返戻される。２つの分岐配管３３のそれぞれにはストップバルブ４２ａ・４２ｂが配置されている。【００２１】  このように構成されたアルカリスプレー装置１４の機能について図４を参照して説明する。
中和槽１５の上流室２９ａと下流室２９ｂには、それぞれの噴霧ノズル３０ａ・３０ｂから苛性ソーダ水等のアルカリ液が下向きに噴霧されている。分解蒸発槽９より蒸発して来た分解ガスは、支持管２５に入ると仕切り板２８によって上流室２９ａ中で下降流となり、上流側の噴霧ノズル３０ａより噴霧されているアルカリ液を浴びることで、下降する流れを強めながら酸性分を中和される。そして、中和槽１５の下側空間２９ｃで方向を変え、下流室２９ｂ中で上昇流となり、それに逆らうようにして下流側の噴霧ノズル３０ｂより噴霧されているアルカリ液を浴びることで、上昇する流れを弱めながら酸性分を中和される。
このような分解ガスの流れ方向を変えてのアルカリ液噴霧により、中和処理が満遍なく均等に行われるとともに、分解ガス中のタール分や触媒成分なども噴霧されたアルカリ液によって効果的に捕集される。【００２２】  中和槽１５の下部に溜まって来る噴霧回収液は、沈殿分離槽１６の沈殿室３６ａに流れ落ち、ここで比重の重いタール分や触媒成分などは沈殿物４３として沈殿し、中和された比重の軽い液やピッチ４４は浮上する。これらの中間のところの液はほとんどがアルカリ液で、それは越流管３７から撹拌室３６ｂへ流れ、ここに随時補充される新たなアルカリ液と撹拌機３８にて撹拌されながら、フィルタ４０による濾過を経てポンプ４１にて噴霧ノズル３０ａ・３０ｂへ返戻され、再び噴霧される。アルカリ液の補充量を調整することにより、分解ガスのｐＨを任意に調整することができる。沈殿室３６ａに沈殿した沈殿物４３は取り出されて汚泥処理される。
【符号の説明】
【００２３】８  廃プラスチック分解装置
９  分解蒸発槽
１４  アルカリスプレー装置
１５  中和槽
１６  沈殿分離槽
２８  仕切り板
２９ａ  上流室
２９ｂ  下流室
３０ａ・３０ｂ  噴霧ノズル
【図１】
2020002333.tif 000003
【図２】
2020002333.tif 000004
【図３】
2020002333.tif 000005
【図４】
2020002333.tif 000006